(57)【要約】【課題】大型化やコストの上昇を招くことなく複数の記録媒体を収容することができ、金額価値が０になった記録媒体を機外へ排出することによる遊技場における記録媒体の散乱、店員の作業負担の増加、及び、偽造カードによる不正行為を招くことなく高額の記録媒体の使用を可能にする。【解決手段】一定の回転角度間隔の複数の回転位置に収容部７ａ〜７ｆを形成したホルダ７を回転自在に支持し、回転用ソレノイド２２の駆動によるアクチュエータ２２ａの移動をリンク２６ａ及びラチェット爪２６ｂを介してラチェット歯車２６ｃに伝達し、ホルダ７を一定の回転角度毎に回転させる。収容部７ａ〜７ｆは順次窓部２１ｂ及びアンテナ２４に対向及び近接する。【選択図】図２
2005073945.tif 000002
【特許請求の範囲】
【請求項１】
遊技機と通信可能に接続され、遊技機に対して遊技媒体の貸出処理を行う遊技媒体貸出機において、
それぞれが単一の記録媒体を挿脱自在に収容する複数の記録媒体収容部と、各記録媒体収容部に収容されている記録媒体から金額価値情報又は金額価値を特定する情報を含む記録情報を所定の読取位置で読み取る通信部と、各記録媒体収容部を選択的に読取位置に移動させる移動部と、を備え、通信部が記録媒体から読み取った金額価値の範囲で遊技媒体の貸出処理を行うことを特徴とする遊技媒体貸出機。
【請求項２】
現金の投入を受け付けて投入金額を読み取る現金処理部をさらに備え、前記通信部は現金処理部が読み取った投入金額に対応した前記記録情報を前記記録媒体収容部に収容されている記録媒体に対して所定の書込位置で書き込むとともに、前記移動部は各記録媒体収容部を選択的に読取位置及び書込位置に移動させることを特徴とする請求項１に記載の遊技媒体貸出機。
【請求項３】
前記所定数の記録媒体収容部は回転体において一定回転角度の間隔で位置する複数の回転位置に該回転体の軸方向に平行に形成され、前記移動部は前記回転体を前記一定回転角度ずつ回転させることを特徴とする請求項１又は２に記載の遊技媒体貸出機。
【請求項４】
前記複数の記録媒体収容部のそれぞれは、前記回転体における少なくとも前面側の端面に開放し、かつ、前記回転体の軸方向について一定の断面形状を呈する空間であり、
前記読取位置は、回転体の周面の一部に対向する位置に設定されていることを特徴とする請求項３に記載の遊技媒体貸出機。
【請求項５】
遊技媒体の貸出処理に用いられる記録情報を記憶する記録媒体において、
軸方向の少なくとも一部において遊技媒体貸出機が備える回転体に形成された複数の記録媒体収容部のそれぞれと同一の断面形状を呈する棒状体であり、各記録媒体収容部に収容された際に回転体の外側に向う面に媒体側通信部を設けたことを特徴とする記録媒体。
【発明の詳細な説明】
【技術分野】
【０００１】
この発明は、金額価値を有する記録媒体を発行するとともに、記録媒体の投入を受け付け、記録媒体の金額価値に応じた数の遊技媒体を遊技機に貸し出す自発行型の遊技媒体貸出機、及び、この遊技媒体貸出機において使用される記録媒体に関する。
【背景技術】
【０００２】
近年、プリペイドカード等の記録媒体の普及に伴い、パチンコホール等の遊技場でも記録媒体によりパチンコ玉やメダル等の記録媒体の貸し出しが行われている。このため、遊技場には、投入された紙幣の金額に応じた金額価値等の情報が書き込まれた記録媒体を発行する記録媒体発行装置、及び、この記録媒体の投入を受け付けて遊技機に対する遊技媒体の貸出を行う遊技媒体貸出装置が設けられている。
【０００３】
ところが、記録媒体発行装置を遊技機から独立して遊技場の所定の位置に配置していたのでは、遊技者は記録媒体が記録している金額価値が０になる毎に、新たな記録媒体を購入するために遊技機から離れて記録媒体発行装置の設置場所に赴かなければならない。また、複数の遊技者が同時に単一の記録媒体発行装置に集中すると、遊技者は記録媒体の入手に手間取る。
【０００４】
そこで、遊技者の利便性を考慮して、各遊技機に専用の自発行型の遊技媒体貸出機を配置している遊技場がある。自発行型の遊技媒体貸出機は、投入された紙幣の金額に応じた金額価値等の情報が書き込まれた記録媒体を発行する処理と、記録媒体の投入を受け付けて記録媒体の金額価値に応じた数の遊技媒体を遊技機に貸し出す処理と、を行う。
【０００５】
従来の自発行型の遊技媒体貸出機は、記録媒体として千円分の金額価値情報を有する低額のプリペイドカード（以下、単にカードという。）を取り扱うものであった。このため、従来の自発行型の遊技媒体貸出機は、機内に予め１枚のカードを収容しておき、紙幣投入口に千円札が投入されると機内に収容していたカードに千円分の金額価値を書き込んでカード投入口に露出させた後、遊技者の操作に応じてこのカードを機内に引き込み、遊技媒体の貸出を行う。金額価値が０になったカードは、別のカードを収容していない場合には機内に収容され、別のカードを収容している場合には機外に排出される（例えば、特許文献１参照。）。
【０００６】
従来の自発行型の遊技媒体貸出機が発行する低額のカードは、そのカードを発行した遊技媒体貸出機に対応する遊技機で使い切られることが多く、遊技者が遊技媒体貸出機から発行されたカードを抜き取って別の遊技媒体貸出機に投入することは稀で、金額価値が０になったカードが機外に排出されることは少ない。なお、遊技者がカードを抜き取った遊技媒体貸出機に対しては、店員が新たなカードを補充する。
【０００７】
ところが、近時、遊技場では５千円や１万円等の高額の金額価値を有する記録媒体を発行する自発行型の遊技媒体貸出機が要望されており、これら高額の記録媒体はその記録媒体を発行した遊技媒体貸出機から抜き取られて別の遊技媒体貸出機に投入される可能性が高く、単一のカードのみを収容する従来の遊技媒体貸出機では金額価値が０になったカードを機外に排出する機会が増え、カードが遊技場に散乱する結果を招く。また、遊技者が遊技媒体貸出機からカードを抜き取る機会が増えると、店員によるカードの補充作業の負担も増加する。さらに、機外に排出されたカードは、偽造カードによる不正行為に使用される可能性がある。
【０００８】
これらの問題を解決するために、遊技媒体貸出機が複数枚のカードを収容できるようにすることも考えられるが、複数枚のカードを１枚ずつ取り出せる状態にして収容するためには大きなスペースが必要になり、限られた幅の各遊技機の間に配置される自発行型の遊技媒体貸出機では背面方向に大型化し、遊技場への適用が困難になる。また、積層して収容された複数枚のカードを１枚ずつ正確に取り出すためには複雑な機構が必要になり、部品点数の増加によるコストの上昇を招く。
【０００９】
そこで、記録媒体として円板形状のＩＣコインを用い、複数のＩＣコインを貯留待機可能な貯留部を形成した遊技媒体貸出機が提案されている（例えば、特許文献２及び３参照。）。
【特許文献１】特開平９−１４０９２２号公報
【特許文献２】特開２００２−１６６０３６号公報
【特許文献３】特開２００２−０００９３４号公報
【発明の開示】
【発明が解決しようとする課題】
【００１０】
しかしながら、特許文献２及び３に開示された遊技媒体貸出機では、ＩＣコインが自重によって移動する通路を形成し、この通路の一部に複数のＩＣコインを貯留待機可能な貯留部を備えているため、多数のＩＣコインを貯留できるようにするためには遊技媒体貸出機の内部に上下方向に十分なスペースが必要になり、遊技媒体貸出機の大型化を招く問題がある。この問題を解消するためには、紙幣識別装置等の機内に備えるべき部品を外部に配置せざるを得ず、遊技場の設備の改造を必要とする問題がある。
【００１１】
この発明の目的は、大型化やコストの上昇を招くことなく複数の記録媒体を収容することができ、金額価値が０になった記録媒体を機外へ排出することによる遊技場における記録媒体の散乱、店員の作業負担の増加、及び、偽造カードによる不正行為を防止でき、遊技場の設備の改造を必要とすることなく、高額の金額価値の記録媒体の運用に容易に適用できる遊技媒体貸出機及び記録媒体を提供することにある。
【課題を解決するための手段】
【００１２】
この発明は、上述の課題を解決するための手段として、
（１）遊技機と通信可能に接続され、遊技機に対して遊技媒体の貸出処理を行う遊技媒体貸出機において、
それぞれが単一の記録媒体を挿脱自在に収容する複数の記録媒体収容部と、各記録媒体収容部に収容されている記録媒体から金額価値情報又は金額価値を特定する情報を含む記録情報を所定の読取位置で読み取る通信部と、各記録媒体収容部を選択的に読取位置に移動させる移動部と、を備え、通信部が記録媒体から読み取った金額価値の範囲で遊技媒体の貸出処理を行うことを特徴とする。
【００１３】
この構成においては、単一の記録媒体を挿脱自在に収容する複数の記録媒体収容部のそれぞれが選択的に読取位置に移動し、読取位置に移動した記録媒体収容部に収容されている記録媒体に対して遊技媒体の貸出処理に用いる記録情報の読取処理が行われる。したがって、少なくとも１つの読取位置で遊技媒体の貸出処理に必要な記録情報を各記録媒体から任意の順序で読取可能な状態にして、複数の記録媒体が収容される。
【００１４】
なお、この発明において、金額価値情報とは金額情報又は金額価値に応じた遊技媒体の数量を特定する度数情報をいい、金額価値を特定する情報には複数の遊技媒体貸出機を管理するホスト装置に記録媒体毎の識別情報に対応する金額価値情報が記憶されている場合における記録媒体毎の識別情報を含む。また、記録情報には金額価値情報及び識別情報の他に記録媒体に最初に金額価値情報又は金額価値を特定する情報を書き込んだ装置の識別情報を含む。さらに、通信部が記録媒体から読み取った金額価値には、記録媒体に記録されている金額価値情報から得られる金額価値のみならず、記録媒体に記憶されている金額価値を特定する情報に基づいて得られた金額価値を含む。
【００１５】
（２）現金の投入を受け付けて投入金額を読み取る現金処理部をさらに備え、前記通信部は現金処理部が読み取った投入金額に対応した前記記録情報を前記記録媒体収容部に収容されている記録媒体に対して所定の書込位置で書き込むとともに、前記移動部は各記録媒体収容部を選択的に読取位置及び書込位置に移動させることを特徴とする。
【００１６】
この構成においては、単一の記録媒体を挿脱自在に収容する複数の記録媒体収容部のそれぞれが選択的に読取位置及び書込位置に移動し、読取位置に移動した記録媒体収容部に収容されている記録媒体に対する遊技媒体の貸出処理に用いる記録情報の読取処理、及び、書込位置に移動した記録媒体収容部に収容されている記録媒体に対する投入金額に応じた記録情報の書込処理が行われる。したがって、少なくとも１つの読取位置及び書込位置で遊技媒体の貸出処理に必要な記録情報を各記録媒体から任意の順序で読取及び書込可能な状態にして、複数の記録媒体が収容される。
【００１７】
（３）前記所定数の記録媒体収容部は回転体において一定回転角度の間隔で位置する複数の回転位置に該回転体の軸方向に平行に形成され、前記移動部は前記回転体を前記一定回転角度ずつ回転させることを特徴とする。
【００１８】
この構成においては、一定回転角度の間隔で位置する複数の回転位置に軸方向に平行に所定数の記録媒体収容部を形成した回転体が、一定回転角度ずつ回転する。したがって、回転体の回転により回転体の外部の特定の位置に各記録媒体収容部が選択的に移動する。
【００１９】
（４）前記複数の記録媒体収容部のそれぞれは、前記回転体における少なくとも前面側の端面に開放し、かつ、前記回転体の軸方向について一定の断面形状を呈する柱状の空間であり、
前記読取位置及び書込位置は、回転体の周面における円周方向の一部に対向する位置に設定されていることを特徴とする。
【００２０】
この構成においては、回転体の軸方向について一定の断面形状を呈する柱状の記録媒体収容部が回転体の前面側の端面に開放して回転体に複数形成され、回転体の周面における円周方向の一部に対向して読取位置が配置される。したがって、記録媒体収容部と同一の断面形状を呈する棒状の記録媒体が回転体の前面側から記録媒体収容部に挿入され、回転体の回転角度に応じて複数の記録媒体収容部のうちの特定の記録媒体収容部のみが読取位置及び書込位置に近接する。
【００２１】
（５）遊技媒体の貸出処理に用いられる記録情報を記憶する記録媒体において、
軸方向の少なくとも一部において遊技媒体貸出機が備える回転体に形成された複数の記録媒体収容部のそれぞれと同一の断面形状を呈する棒状体であり、各記録媒体収容部に収容された際に回転体の外側に向う面に媒体側通信部を設けたことを特徴とする。
【００２２】
この構成においては、軸方向の少なくとも一部が遊技媒体貸出機の回転体に形成された記録媒体収容部と同一の断面形状にされた棒状体において、記録媒体収容部に収容された際に回転体の外側に向う面に通信部を設けて記録媒体が構成される。したがって、回転体の周面における円周方向の一部に対向する位置に記録情報の読取位置及び書込位置を設定しておき、記録媒体を収容した記録媒体収容部が読取位置及び書込位置に最も近接するように回転体を回転させると、その記録媒体との間でのみ記録情報の通信が行われる。
【発明の効果】
【００２３】
この発明は、上記の手段により、以下の効果を奏する。
【００２４】
（１）単一の記録媒体を挿脱自在に収容する複数の記録媒体収容部のそれぞれを選択的に読取位置に移動させ、読取位置に移動した記録媒体収容部に収容されている記録媒体に対して遊技媒体の貸出処理に用いる記録情報の読取処理を行うことにより、少なくとも１つの読取位置で遊技媒体の貸出処理に必要な記録情報を各記録媒体から任意の順序で読み取ることができる状態にして、複数の記録媒体を収容することができる。
【００２５】
これによって、大型化やコストの上昇を招くことなく複数の記録媒体を収容することができ、金額価値が０になった記録媒体を機外へ排出することによる遊技場における記録媒体の散乱、店員の作業負担の増加、及び、偽造カードによる不正行為を防止でき、遊技場の設備の改造を必要とすることなく、高額の金額価値の記録媒体の運用に容易に対応できる。
【００２６】
（２）単一の記録媒体を挿脱自在に収容する複数の記録媒体収容部のそれぞれを選択的に読取位置及び書込位置に移動させ、読取位置に移動した記録媒体収容部に収容されている記録媒体に対する遊技媒体の貸出処理に用いる記録情報の読取処理、及び、書込位置に移動した記録媒体収容部に収容されている記録媒体に対する投入金額に応じた記録情報の書込処理を行うことにより、少なくとも１つの読取位置及び書込位置で遊技媒体の貸出処理に必要な記録情報を各記録媒体に対して任意の順序で読取及び書込することができる状態にして、複数の記録媒体を収容することができる。
【００２７】
これによって、大型化やコストの上昇を招くことなく複数の記録媒体を収容することができ、金額価値が０になった記録媒体を機外へ排出することによる遊技場における記録媒体の散乱、店員の作業負担の増加、及び、偽造カードによる不正行為を防止でき、遊技場の設備の改造を必要とすることなく、高額の金額価値の記録媒体の発行に容易に対応できる。
【００２８】
（３）一定回転角度の間隔で位置する複数の回転位置に軸方向に平行に所定数の記録媒体収容部が形成された回転体を一定回転角度ずつ回転させることにより、回転体の外部の特定の位置に各記録媒体収容部を選択的に移動させることができる。これによって、単一の読取位置及び書込位置で遊技媒体の貸出処理に必要な記録情報を各記録媒体に対して任意の順序で読取及び書込することができる状態にして、複数の記録媒体を収容するための構成をコンパクトに実現することができる。
【００２９】
（４）回転体の軸方向について一定の断面形状を呈する柱状の記録媒体収容部を回転体の前面側の端面に開放して回転体に複数形成し、回転体の周面における円周方向の一部に対向して読取位置を配置することにより、記録媒体収容部と同一の断面形状を呈する棒状の記録媒体を回転体の前面側から記録媒体収容部に挿入することができ、回転体の回転角度に応じて複数の記録媒体収容部のうちの特定の記録媒体収容部のみを読取位置及び書込位置に近接させることができる。これによって、複数の記録媒体収容部の何れか１つに収容されている記録媒体との間で記録情報の読取処理及び書込処理を行うことができる。
【００３０】
（５）軸方向の少なくとも一部を遊技媒体貸出機の回転体に形成された記録媒体収容部と同一の断面形状にされた棒状体に、記録媒体収容部に収容された際に回転体の外側に向う面に通信部を設けて記録媒体を構成することにより、回転体の周面における円周方向の一部に対向する位置に記録情報の読取位置及び書込位置を設定しておき、記録媒体を収容した記録媒体収容部が読取位置及び書込位置に最も近接するように回転体を回転させると、その記録媒体との間でのみ記録情報の通信を行うことができる。これによって、複数の記録媒体収容部の何れか１つに収容されている記録媒体との間で記録情報の読取処理及び書込処理を行うことができる。
【発明を実施するための最良の形態】
【００３１】
以下に、この発明の最良の実施形態に係る遊技媒体貸出機を図面を参照しつつ詳細に説明する。
【００３２】
図１は、この発明の実施形態に係る遊技媒体貸出機の外観図である。この実施形態に係る遊技媒体貸出機１は、遊技場であるパチンコホールにおいてパチンコ台の間又はパチスロ台の間に設置される台間機であり、現金の投入を受け付けて投入金額に応じた金額価値を含む記録情報を記録媒体に書き込んで発行する自発行型の台間機である。遊技媒体貸出機１は、挿入された記録媒体から読み取った記録情報に含まれる金額価値の範囲で、遊技媒体であるパチンコ玉又はコインを対応するパチンコ台又はパチスロ台に貸し出す。
【００３３】
このため、遊技媒体貸出機１は、寸法形状において制限を受け、特に、幅方向について細く形成する必要があり、薄型の矩形筐体内に構成される。遊技媒体貸出機１の前面には、紙幣挿入口２、マルチランプ３、情報表示部４、確認ボタン５、状態表示ランプ６、ホルダ７、リモコン受光部・貯玉表示部８、テンキー９及び会員カード挿入口１０が設けられている。
【００３４】
紙幣挿入口２は、内部の紙幣識別装置１１に対する紙幣の挿入を受け付ける。紙幣識別装置１１は、この発明の現金処理部に相当する。マルチランプ３は、遊技媒体貸出機１の動作状態を点灯色及び点灯状態（例えば、連続点灯状態又は点滅状態）によって表示する。情報表示部４は、ホルダ７の状態やエラーコード等の情報を表示する。確認ボタン５は、情報表示部４における情報表示の指示操作を受け付ける。状態表示ランプ６は、ホルダ７におけるＩＣスティックの状態を表示する。ＩＣスティックについては後述する。
【００３５】
ホルダ７はこの発明の回転体であり、後述する記録媒体収容装置の一部を構成している。ホルダ７は、一例として、６０度の一定の回転角度間隔で位置する６箇所の回転位置に、この発明の記録媒体収容部である収容部７ａ〜７ｆを軸方向に平行に形成したリボルバー型の回転体である。収容部７ａ〜７ｆは、ホルダ７における前面側の端面に開放し、かつ、ホルダ７の軸方向について一定の断面形状を呈する柱状の空間である。なお、ホルダ７の前面は、後述するカバー部２１ａによって被覆させれている。また、ホルダ７に形成される収容部の数は６個に限定されるものではない。
【００３６】
リモコン受光部・貯玉表示部８は、店員の操作に係るリモコンから送信された赤外光を受光するとともに、貯玉数を表示する。テンキー９は、店員による置数の入力操作を受け付ける。会員カード挿入口１０は、内部のカード処理部に対する会員カードの挿入を受け付ける。
【００３７】
図２及び図３は、上記遊技媒体貸出機に備えられる記録媒体収容装置の構成を示す図である。図２（Ａ）は同記録媒体収容装置の内部構造を示す側面図、図２（Ｂ）は同正面図、図３は図２（Ｂ）におけるＸ−Ｘ部の断面図である。
【００３８】
記録媒体収容装置２０は、遊技媒体貸出機１の内部の略中央部に収納されている。記録媒体収容装置２０は、筐体２１の内部に、ホルダ７、回転用ソレノイド２２、摺動用ソレノイド２３及びアンテナ２４を備えている。
【００３９】
収容部７ａ〜７ｆを備えたホルダ７は、前面側部材７０ａと背面側部材７０ｂとを中間体７０ｃにより一体にして構成されている。このホルダ７は、記録媒体収容装置２０の内部において、回転軸２５ａ及び２５ｂにより、回転自在かつ摺動自在に支持されている。即ち、ホルダ７は、回転軸２５ａ及び２５ｂを中心に回転するとともに、回転軸２５ａ及び２５ｂの軸方向に摺動自在にされている。ホルダ７は、回転軸２５ａ及び２５ｂの軸方向について、回転軸２５ｂに外嵌するスプリング２５ｃの弾性力によって前面方向に付勢されている。背面側部材７０ｂの背面側の端部には、回転軸２５ａ及び２５ｂと同軸上にラチェット歯車２６ｃが形成されている。
【００４０】
ホルダ７に形成された収容部７ａ〜７ｆのそれぞれは、回転軸２５ａの軸方向に一様なＤ字型の断面形状を呈している。収容部７ａ〜７ｆのそれぞれは、Ｄ字型の断面形状における直線部分をホルダ７の半径方向に直交させ、かつ、外側にして配置されている。収容部７ａ〜７ｆのそれぞれの内部における背面側には、スプリング７２によって付勢されたピン７１が退避可能にして露出している。
【００４１】
筐体２１の前面側には、ホルダ７の前面を被覆するカバー部２１ａが形成されている。カバー部２１ａには、ホルダ７の前面に開口している６個の収容部７ａ〜７ｆのうちで最上部の回転位置に位置しているものに対向する位置に、単一の窓部２１ｂが形成されている。なお、カバー部２１ａを透明に構成することにより、ホルダ７の各収容部７ａ〜７ｆにおけるＩＣスティック３０の収納状態を外部から目視によって確認することができる。
【００４２】
回転用ソレノイド２２のアクチュエータ２２ａには、ピン２２ｃを介してリンク２６ａが係合している。リンク２６ａは、軸２６ｄにおいて回転自在にされている。リンク２６ａの側面からはピン２６ｅが突出しており、このピン２６ｅはラチェット爪２６ｂに係合している。ラチェット爪２６ｂは、軸２６ｆにおいて回転自在にされており、上端においてラチェット歯車２６ｃに係合する。
【００４３】
回転用ソレノイド２２に駆動電圧が印加されてアクチュエータ２２ａが矢印Ａ方向に移動すると、リンク２６ａが軸２６ｄを中心に矢印Ｂ方向に回転する。このリンク２６ａの回転が、ピン２６ｅを介してラチェット爪２６ｂに伝達され、ラチェット爪２６ｂが軸２６ｆを中心に矢印Ｃ方向に回転し、ラチェット歯車２６ｃのラチェット歯を上方に押し上げる結果、ホルダ７が矢印Ｄ方向に回転する。
【００４４】
ラチェット歯車２６ｃは、周面に６個のラチェット歯を等間隔に突出させている。ホルダ７の背面側部材７０ｃの周面には、一定の回転角度間隔（６０度）の６箇所に凹部７３が形成されている。記録媒体収容装置２０の内部には、背面側部材７０ｃの周面に対向する位置にスプリング７５によって付勢された係止ピン７４が設けられている。係止ピン７４は、ホルダ７が回転する毎に背面側部材７０ｃの周面に形成された凹部７３のそれぞれに順に係合する。これらによって、回転用ソレノイド２２に駆動電圧を印加する毎に、ホルダ７が矢印Ｄ方向に６０度ずつ回転し、筐体２１の窓部２１ｂにはホルダ７に形成された収容部７ａ〜７ｆが順に対向する。
【００４５】
回転用ソレノイド２２に駆動電圧が印加されなくなると、アクチュエータ２２ａに外嵌するスプリング２２ｂの弾性力により、アクチュエータ２２ａ、リンク２６ａ及びラチェット爪２６ｂは図２（Ａ）及び図３に示す位置に復帰する。
【００４６】
上記の構成において、回転用ソレノイド２２、リンク２６ａ、ラチェット爪２６ｂ及びラチェット歯車２６ｃが、この発明の移動部に相当する。
【００４７】
アンテナ２４は、この発明の通信部を構成しており、ホルダ７の中間部７０ｃの周面における円周方向の一部（この例では最上部）で、かつ、軸方向の中央部に対向する位置に配置されている。この位置が、この発明の読取位置及び書込位置である。通信部はアンテナ２４を介してＩＣスティック３０のＩＣチップ３６との間で非接触で通信を行う。なお、通信部は、ＩＣスティック３０との間で接触式の通信を行うものであってもよい。
【００４８】
摺動用ソレノイド２３のアクチュエータ２３ａには、ピン２３ｃを介してレバー２７が係合している。レバー２７の下端部は、ホルダ７の背面側端部に設けられたラチェット歯車２６ｃの前面側に当接している。摺動用ソレノイド２３に駆動電圧が印加されてアクチュエータ２３ａが矢印Ｅ方向に移動すると、レバー２７も矢印Ｅ方向に移動し、ラチェット２６ｃを背面側に押圧する。これによって、ホルダ７がスプリング２５ｃの弾性力に抗して背面側に摺動する。
【００４９】
摺動用ソレノイド２３に駆動電圧が印加されなくなると、アクチュエータ２３ａに外嵌するスプリング２３ｂの弾性力により、アクチュエータ２３ａとレバー２７とは図２（Ａ）及び図３に示す位置に復帰する。また、ホルダ７は、スプリング２５ｃの弾性力によって、図２（Ａ）及び図３に示す位置に復帰する。
【００５０】
図４（Ａ）及び（Ｂ）は、上記遊技媒体貸出機に適用される記録媒体の側面断面図及び正面図である。上記遊技媒体貸出機に適用される記録媒体は、少なくとも軸方向の中間部においてＤ字型断面形状を呈する棒状体のＩＣスティック３０である。ＩＣスティック３０は、２本の止めネジ３３を介して固定される本体３１と蓋体３２との２分割に構成されている。ＩＣスティック３０の内部の軸方向の中央部には、蓋体３２の平面状の上面（Ｄ字型断面における直線部分）に近接して収納部３４が設けられている。この収納部３４には、アンテナを含むＩＣチップ３６が収納される。このＩＣチップ３６が、この発明の媒体側通信部に相当する。また、本体３１の底面の軸方向における両端部には、凹部３５が形成されている。
【００５１】
ＩＣスティック３０は、側面における軸方向に直交する方向の中心線、及び、正面における上下方向に平行な中心線について対称形状にされている。また、軸方向の中央部に通信部が収納されている。このため、ＩＣスティック３０をホルダ７の各収容部７ａ〜７ｆに挿入する際には前後方向を問わない。
【００５２】
ＩＣスティック３０を記録媒体収容装置２０の筐体２１に形成された窓部２１ｂからホルダ７に形成された６個の収容部７ａ〜７ｆのうち最上部に位置している収容部に挿入すると、ＩＣスティック３０における平面状の上面がホルダ７の外側を向き、ＩＣスティック３０に収納されたＩＣチップ３６は記録媒体収容装置２０内に備えられているアンテナ２４に近接して対向する。このため、アンテナ２４を介してＩＣスティック３０のＩＣチップ３６との間で、微少な電力によって通信が可能になる。
【００５３】
また、ホルダ７に形成された６個の収容部７ａ〜７ｆのうち最上部に位置している収容部以外の収容部にＩＣスティック３０が収容されている場合、このＩＣスティック３０に収納されているＩＣチップ３６はアンテナ２４に対向することなく離間している。このため、アンテナ２４は、収容部７ａ〜７ｆのうち最上部に位置している収容部に収容されている単一のＩＣスティック３０が収納しているＩＣチップ３６との間でのみ、正確に通信を行うことができる。
【００５４】
また、回転用ソレノイド２２に駆動電圧を印加する毎にホルダ７が６０度ずつ回転することから、収容部７ａ〜７ｆを順に窓部２１ｂに対向させることができ、収容したＩＣスティック３０のＩＣチップ３６がアンテナ２４に近接して対向する収容部を収容部７ａ〜７ｆに順次切り換えることができる。
【００５５】
さらに、収容部７ａ〜７ｆのいずれかに収容されたＩＣスティック３０の凹部３５には、スプリング７２の弾性力によってピン７１が弾性的に嵌合し、収容部７ａ〜７ｆ内における軸方向の移動が規制される。金額価値が０でないＩＣスティック３０を放出する場合には、摺動用ソレノイド２３に駆動電圧を印加してホルダ７を背面側に摺動させる。このとき、最上部に位置する収容部に収容されているＩＣスティック３０は、背面側端部をストッパ２８に当接させており、背面側に摺動することはない。したがって、ホルダ７はＩＣスティック３０に対して摺動することになり、凹部３５に対するピン７１の嵌合が解除される。
【００５６】
この後、摺動用ソレノイド２３に駆動電圧が印加されなくなってホルダ７が前面側に復帰する際には、ピン７１がＩＣスティック３０の背面側を押圧し、ＩＣスティック３０はホルダ７とともに前面側に移動する。これによって、ＩＣスティック３０の前面側端部が、筐体２１ｂの窓部２１ｂから前面側に突出し、ＩＣスティック３０をホルダ７から抜き取ることができる。
【００５７】
遊技媒体貸出機１は、アンテナ２４を介してＩＣスティック３０のＩＣチップから読み取った記録情報によって定まる金額価値の範囲で遊技者の指示に従って遊技媒体を遊技台に貸し出す。また、遊技媒体貸出機１は、紙幣挿入口２から紙幣が挿入されると、紙幣識別装置による識別結果に応じた金額価値を表す金額価値情報又はこの金額価値を特定する情報を含む記録情報をアンテナ２４を介してＩＣスティック３０のＩＣチップに書き込む。
【００５８】
したがって、遊技媒体貸出機１は、記録媒体収容装置２０のホルダ７に形成された６個の収容部７ａ〜７ｆのうち、少なくとも１個の収容部に金額価値が０のＩＣスティック３０が収納しており、かつ、少なくとも１個の収容部にＩＣスティック３０が収容されていない状態で運用される。
【００５９】
以上のように、この実施形態に係る遊技媒体貸出機１は、リボルバー型のホルダ７にＩＣスティック３０を収容する６個の収容部７ａ〜７ｆを形成し、これら収容部７ａ〜７ｆを１個ずつ順にアンテナ２４に近接して対向する位置に移動できるようにしている。このため、金額価値が０のＩＣスティック３０を機外に放出することなく、金額価値が０でないＩＣスティック３０を機外に放出することができ、かつ、少なくとも１個の金額価値が０のＩＣスティック３０を収容した状態で別の金額価値が０でないＩＣスティック３０を収容することができ、高額の金額価値を有するＩＣスティック３０を適正に運用することができる。
【００６０】
このとき、自発行型の台間機である遊技媒体貸出機１内に、紙幣識別装置１１及び記録媒体収容装置２０を含む必要な部品の全てを収納できるため、遊技場の設備の改造を必要とすることがない。
【００６１】
なお、上記の実施形態では投入された紙幣の金額に応じた金額価値を含む記録情報をＩＣスティック３０に書き込むことができる自発行型の遊技媒体貸出機１を例に挙げて説明したが、ＩＣスティック３０に対して遊技媒体の貸出処理に用いる記録情報の読取処理のみを行う自発行型でない遊技媒体貸出機にもこの発明を同様に実施することができる。
【００６２】
また、上記の実施形態では記録媒体として棒状体のＩＣスティック３０を例に挙げて説明したが、球状又は円盤状であってもよい。但し、記録媒体は、紛失防止のためにある程度のサイズを確保しておく必要があり、前面の幅を小さくする必要のある台間機に対して前面側から挿脱されることを考慮すると、特に、複数の記録媒体の収容部を読取位置及び書込位置に順に回転移動させる場合、棒状体に構成することが望ましい。しかし、複数の収容部の回転面を遊技媒体貸出機の幅に納まるように傾斜させ、少なくとも１つの収容部を前面側に露出させることで、比較的大きな球状又は円盤状の記録媒体を収容する複数の収容部を読取位置及び書込位置に順に回転移動させることができる状態に備えることができる。
【図面の簡単な説明】
【００６３】
【図１】この発明の実施形態に係る遊技媒体貸出機の外観図である。
【図２】上記遊技媒体貸出機に備えられる記録媒体収容装置の構成を示す側面図及び正面図である。
【図３】図２（Ｂ）におけるＸ−Ｘ部の断面図である。
【図４】上記遊技媒体貸出機に適用される記録媒体の側面断面図及び正面図である。
【符号の説明】
【００６４】
１−遊技媒体貸出機
７−ホルダ
７ａ〜７ｆ−収容部
１１−紙幣識別装置（現金処理部）
２０−記録媒体収容装置
２２−回転用ソレノイド（移動部）
２３−摺動用ソレノイド
２４−アンテナ（通信部）
２６ａ−リンク（移動部）
２６ｂ−ラチェット爪（移動部）
２６ｃ−ラチェット歯車（移動部）
３０−ＩＣスティック（記録媒体）
３６−ＩＣチップ（媒体側通信部）
【図１】
2005073945.tif 000003
【図２】
2005073945.tif 000004
【図３】
2005073945.tif 000005
【図４】
2005073945.tif 000006